(57)【要約】【課題】第２コネクタハウジングの対向する一対の側壁の外表面を挟む嵌合操作レバーの一対のレバー本体に内倒れが生じていても、嵌合操作レバーの第２コネクタハウジングへの組付性が低下することがなく、しかも、第２コネクタハウジングの後端に取り付けられるカバーを係止するために前記一対の側壁に装備するカバー係止片の強度を向上させることができるレバー式コネクタを提供すること。【解決手段】第２コネクタハウジング１０の一対の側壁１２ａ，１２ｂに、嵌合操作レバー２０と係合するレバー支持用ボス部１４と、カバー３０を係止するカバー係止片１７と、を備えるレバー式コネクタ１において、一対の側壁１２ａ，１２ｂの外表面１２１間の離間寸法を側壁の後縁に向かって徐々に減少させるテーパ面１８ａを有したレバー拾い片１８を、カバー係止片１７に連ねて延出させる。【選択図】図１
2013062078.tif 000002
【特許請求の範囲】
【請求項１】
第１コネクタハウジングと、
対向する一対の側壁の外表面に突設されたレバー支持用ボス部と、前記一対の側壁の後縁に延出形成されたカバー係止片と、を備えて前記第１コネクタハウジングに嵌合接続される第２コネクタハウジングと、
前記第２コネクタハウジングの後方から前記一対の側壁の外表面に被せられて前記レバー支持用ボス部との係合により前記側壁に回動可能に結合される一対のレバー本体と、該一対のレバー本体相互の一端側を連結して前記一対のレバー本体を回動操作する際の操作部となる本体連結部と、を備えて回動操作することによって前記第１コネクタハウジングと前記第２コネクタハウジングとを嵌合させる嵌合操作レバーと、
前記第２コネクタハウジングの後方から前記一対の側壁上のカバー係止片に係合させることで前記第２コネクタハウジングの後端に取り付けられて前記第２コネクタハウジングの後方に引き出される電線の引き出し方向を規制するカバーと、
を備えるレバー式コネクタであって、
前記カバー係止片に連なって前記一対の側壁の後縁から延出するレバー拾い片を備え、このレバー拾い片には、前記一対の側壁の外表面間の離間寸法を後方に向かって徐々に減少させるテーパ面を形成したことを特徴とするレバー式コネクタ。
【発明の詳細な説明】
【技術分野】
【０００１】
本発明は、レバー式コネクタに関する。
【背景技術】
【０００２】
図１１は、下記特許文献１に開示されたレバー式コネクタを示したものである。
このレバー式コネクタ１００は、第１コネクタハウジング１１０と、第２コネクタハウジング１２０と、嵌合操作レバー１３０と、カバー１４０と、を備える。
【０００３】
第２コネクタハウジング１２０は、第１コネクタハウジング１１０に嵌合接続されるコネクタハウジングで、中央部に、端子収容部を有している。この端子収容部は、第１コネクタハウジング１１０に収容されている第１の端子金具（不図示）と接続する第２の端子金具を収容する。
【０００４】
第２コネクタハウジング１２０は、対向する一対の側壁１２１の外表面に突設されたレバー支持用ボス部１２２と、一対の側壁１２１の外表面に形成された突起状のカバー係止片１２３と、を備えている。カバー係止片１２３は、後述のカバー１４０を係止する部位で、側壁１２１の後縁に単独で延出形成されている。
【０００５】
対向する一対の側壁１２１は、ハウジング中央に配置された前記端子収容部の両側部を囲う側壁である。この第２コネクタハウジング１２０の場合、一対の側壁１２１の外側には、フード部１２４が配置されている。フード部１２４は、一対の側壁１２１の外側に、第１コネクタハウジング１１０が嵌合する空間１２５を画成している。
【０００６】
嵌合操作レバー１３０は、対向配置される一対のレバー本体１３１と、これらの一対のレバー本体１３１相互の一端側を連結する本体連結部１３２と、を備える。
【０００７】
一対のレバー本体１３１は、レバー支持用ボス部１２２が嵌合するボス嵌合部１３１ａを有している。レバー本体１３１は、図１１に示すように、第２コネクタハウジング１２０の後方から一対の側壁１２１の外表面に被せられて、ボス嵌合部１３１ａとレバー支持用ボス部１２２との係合により、側壁１２１に回動可能に結合される。図１１において、矢印Ｘ１は、一対のレバー本体１３１を一対の側壁１２１の外表面に被せる際の、嵌合操作レバー１３０の挿入方向を示している。
【０００８】
また、図１１において、矢印Ｒ１は、側壁１２１に回動可能に結合された嵌合操作レバー１３０の回動方向を示している。本体連結部１３２は、レバー支持用ボス部１２２を回動支点として一対のレバー本体１３１を回動操作する際の操作部となる。
【０００９】
第２コネクタハウジング１２０に取り付けられた嵌合操作レバー１３０は、第１コネクタハウジング１１０と第２コネクタハウジング１２０とを嵌合開始位置に突き合わせた状態で回動操作することで、第１コネクタハウジング１１０と第２コネクタハウジング１２０とを嵌合させる。
【００１０】
カバー１４０は、第２コネクタハウジング１２０の後方から一対の側壁１２１上のカバー係止片１２３に係合させることで、第２コネクタハウジング１２０に取り付けられる。このカバー１４０は、第２コネクタハウジング１２０の後方を覆い、第２コネクタハウジング１２０の後方に引き出される電線の引き出し方向を規制する。
【先行技術文献】
【特許文献】
【００１１】
【特許文献１】特開２００７−１８８６７４号公報
【発明の概要】
【発明が解決しようとする課題】
【００１２】
ところで、特許文献１のレバー式コネクタ１００に使用される嵌合操作レバー１３０は、一対のレバー本体１３１の自由端１３１ｂ側に、内倒れが生じ易い。内倒れは、レバー本体１３１の自由端１３１ｂ側が、成型歪み等によって、一対のレバー本体１３１相互が接近する方向に変形する現象である。
【００１３】
特許文献１のレバー式コネクタ１００の場合、嵌合操作レバー１３０は、一対のレバー本体１３１の自由端１３１ｂ側から第２コネクタハウジング１２０の一対の側壁１２１の外表面に被せることで、第２コネクタハウジング１２０に組み付ける。
【００１４】
従って、一対のレバー本体１３１に内倒れが生じていて、一対のレバー本体１３１の自由端１３１ｂ間の間隔が狭まっていると、一対のレバー本体１３１を一対の側壁１２１に被せようとしたときに、各レバー本体１３１の自由端１３１ｂが一対の側壁１２１の後端面に衝突して、スムーズに組み付けることができず、組付性が低下するという問題が生じる。
【００１５】
また、特許文献１のレバー式コネクタ１００の場合、第２コネクタハウジング１２０の後端に取り付けられるカバー１４０を係止するためのカバー係止片１２３は、側壁１２１の後縁に単独で延出形成されており、小幅の部材のために強度の確保が難しいという問題があった。
【００１６】
そこで、本発明の目的は、上記課題を解消することに係り、第２コネクタハウジングの対向する一対の側壁の外表面を挟む嵌合操作レバーの一対のレバー本体に内倒れが生じていても、嵌合操作レバーの第２コネクタハウジングへの組付性が低下することがなく、しかも、第２コネクタハウジングの後端に取り付けられるカバーを係止するために前記一対の側壁に装備するカバー係止片の強度を向上させることができるレバー式コネクタを提供することにある。
【課題を解決するための手段】
【００１７】
本発明の前述した目的は、下記の構成により達成される。
（１）第１コネクタハウジングと、
対向する一対の側壁の外表面に突設されたレバー支持用ボス部と、前記一対の側壁の後縁に延出形成されたカバー係止片と、を備えて前記第１コネクタハウジングに嵌合接続される第２コネクタハウジングと、
前記第２コネクタハウジングの後方から前記一対の側壁の外表面に被せられて前記レバー支持用ボス部との係合により前記側壁に回動可能に結合される一対のレバー本体と、該一対のレバー本体相互の一端側を連結して前記一対のレバー本体を回動操作する際の操作部となる本体連結部と、を備えて回動操作することによって前記第１コネクタハウジングと前記第２コネクタハウジングとを嵌合させる嵌合操作レバーと、
前記第２コネクタハウジングの後方から前記一対の側壁上のカバー係止片に係合させることで前記第２コネクタハウジングの後端に取り付けられて前記第２コネクタハウジングの後方に引き出される電線の引き出し方向を規制するカバーと、
を備えるレバー式コネクタであって、
前記カバー係止片に連なって前記一対の側壁の後縁から延出するレバー拾い片を備え、このレバー拾い片には、前記一対の側壁の外表面間の離間寸法を後方に向かって徐々に減少させるテーパ面を形成したことを特徴とするレバー式コネクタ。
【００１８】
上記（１）の構成によれば、第２コネクタハウジングには、一対の側壁の外表面間に離間寸法を徐々に減少させるテーパ面を有したレバー拾い片が装備されている。
【００１９】
従って、嵌合操作レバーの一対のレバー本体間の間隔が、これらのレバー本体の内倒れによって第２コネクタハウジングの一対の側壁の外表面間の本来の離間寸法より小さくなっていても、嵌合操作レバーを第２コネクタハウジングに組み付ける際には、嵌合操作レバーのレバー本体の自由端を、第２コネクタハウジングのレバー拾い片から側壁の外表面に被せるようにすれば、レバー本体の自由端が前記レバー拾い片のテーパ面により前記側壁の外表面上にすくい上げられる。そのため、嵌合操作レバーを第２コネクタハウジングに組み付ける際に、嵌合操作レバーのレバー本体の自由端が第２コネクタハウジングの側壁の後端面に衝突することを回避することができ、スムーズに嵌合操作レバーを第２コネクタハウジングに組み付けることができる。
【００２０】
即ち、第２コネクタハウジングの対向する一対の側壁の外表面を挟む嵌合操作レバーの一対のレバー本体に内倒れが生じていても、嵌合操作レバーの第２コネクタハウジングへの組付性が低下することがない。
【００２１】
また、レバー拾い片は、第２コネクタハウジングの後端にカバーを取り付けるために前記一対の側壁に装備されるカバー係止片に連なって装備されている。そのため、カバー係止片に連なるレバー拾い片が、カバー係止片の実質的な幅寸法を増加させて該カバー係止片を補強する構造材として機能するため、カバー係止片が単独で側壁の後縁に延出形成される従来構造と比較すると、カバー係止片の強度を向上させることができる。
【００２２】
その結果、第２コネクタハウジングに対するカバーの取り付けを堅牢にすることができる。
【発明の効果】
【００２３】
本発明によるレバー式コネクタによれば、嵌合操作レバーの一対のレバー本体間の間隔が、これらのレバー本体の内倒れによって第２コネクタハウジングの一対の側壁の外表面間の本来の離間寸法より小さくなっていても、嵌合操作レバーを第２コネクタハウジングに組み付ける際には、嵌合操作レバーのレバー本体の自由端を、第２コネクタハウジングのレバー拾い片から側壁の外表面に被せるようにすれば、レバー本体の自由端がレバー拾い片のテーパ面により側壁の外表面上にすくい上げられる。
【００２４】
そのため、嵌合操作レバーを第２コネクタハウジングに組み付ける際に、嵌合操作レバーのレバー本体の自由端が第２コネクタハウジングの側壁の後端面に衝突することを回避することができ、スムーズに嵌合操作レバーを第２コネクタハウジングに組み付けることができる。
【００２５】
従って、第２コネクタハウジングの対向する一対の側壁の外表面を挟む嵌合操作レバーの一対のレバー本体に内倒れが生じていても、嵌合操作レバーの第２コネクタハウジングへの組付性が低下することがない。
【００２６】
また、レバー拾い片は、第２コネクタハウジングの後端にカバーを取り付けるために前記一対の側壁に装備されるカバー係止片に連なって装備されている。そのため、カバー係止片に連なるレバー拾い片が、カバー係止片の実質的な幅寸法を増加させて該カバー係止片を補強する構造材として機能するため、カバー係止片が単独で側壁の後縁に延出形成される従来構造と比較すると、カバー係止片の強度を向上させることができる。
【００２７】
その結果、第２コネクタハウジングに対するカバーの取り付けを堅牢にすることができる。
【図面の簡単な説明】
【００２８】
【図１】本発明に係るレバー式コネクタの一実施形態の分解斜視図である。
【図２】図１に示した第２コネクタハウジングとカバーとの係合部を示す斜視図である。
【図３】図２のＡ部の拡大図である。
【図４】図４（ａ）は図１に示した第２コネクタハウジングの端子収容孔に、電線端に接続された端子金具を装着する前の状態を示す斜視図、図４（ｂ）は図１に示した第２コネクタハウジングに端子金具の装着が完了した状態の斜視図である。
【図５】図１に示した第２コネクタハウジングに嵌合操作レバーを装着する前の状態を示す斜視図である。
【図６】図５のＢ矢視図である。
【図７】図６のＣ部の拡大図である。
【図８】嵌合操作レバーを第２コネクタハウジングに組み付けた後、第２コネクタハウジングの後方に延出した電線を規定の引き出し方向に屈曲させた状態の斜視図である。
【図９】図８に示した第２コネクタハウジングの後端にカバーを組み付けた状態の斜視図である。
【図１０】第２コネクタハウジングへのカバーの組み付けが完了した後、第２コネクタハウジングを初期位置に回動させた状態の斜視図である。
【図１１】従来のレバー式コネクタの分解斜視図である。
【発明を実施するための形態】
【００２９】
以下、本発明に係るレバー式コネクタの好適な実施形態について、図面を参照して詳細に説明する。
【００３０】
図１〜図３は本発明に係るレバー式コネクタの一実施形態の説明図で、図１は一実施形態のレバー式コネクタの分解斜視図、図２は図１に示した第２コネクタハウジングとカバーとの係合部を示す斜視図、図３は図２のＡ部の拡大図である。
【００３１】
この一実施形態のレバー式コネクタ１は、図１に示すように、不図示の第１コネクタハウジングに嵌合接続される第２コネクタハウジング１０と、該第２コネクタハウジング１０の後方から第２コネクタハウジング１０に組み付けられる嵌合操作レバー２０と、第２コネクタハウジング１０の後方から第２コネクタハウジング１０の後端に取り付けられるカバー３０と、を備える。
【００３２】
第２コネクタハウジング１０は、図２及び図３に示すように、複数の端子収容孔１１ａ，１１ｂを有した端子収容部１１と、端子収容部１１の上下に対向配置された一対の側壁１２ａ，１２ｂと、これらの一対の側壁１２ａ，１２ｂの外表面１２１に突設されたレバー支持用ボス部１４及びレバーガイド突起１５と、一対の側壁１２ａ，１２ｂの一端側を連結している端部壁１２ｃに装備された引っ掛け受け部１６と、一対の側壁１２ａ，１２ｂのそれぞれの外表面１２１に形成されたカバー係止片１７と、レバー拾い片１８と、を備える。
【００３３】
端子収容部１１ａは、図１に示すように、細径の電線４１が圧着接続された細径端子金具４２を収容保持する端子収容孔である。端子収容部１１ｂは、図１に示すように、太径の電線４４が圧着接続された太径端子金具４５を収容保持する端子収容孔である。
【００３４】
レバー支持用ボス部１４は，嵌合操作レバー２０を回動自在に支持する軸である。また、レバーガイド突起１５は、嵌合操作レバー２０に嵌合して、嵌合操作レバー２０の回動範囲を規制する突起である。このレバーガイド突起１５は、一対の側壁１２ａ，１２ｂの外表面１２１上で、レバー支持用ボス部１４から所定の離間距離に配置されている。レバーガイド突起１５は、図２に示すように、レバー支持用ボス部１４と平行に一対の側壁１２ａ，１２ｂから突出した軸部１５ａと、この軸部１５ａの先端から径方向に突出した抜け止め片１５ｂと、を備えている。
【００３５】
引っ掛け受け部１６は、端子収容部１１の一端側に位置する端部壁１２ｃの後端縁から内方に突出した凸条である。引っ掛け受け部１６は、図２に示すカバー３０の一端側の引っ掛け突起３１を係止させる突起で、引っ掛け突起３１との係合によって、カバー３０の一端側を回動可能に支持する。
【００３６】
カバー係止片１７は、図２に示すカバー３０の他端側に装備された係止突起３２を係止する孔部１７ａを有している。カバー係止片１７は、一対の側壁１２ａ，１２ｂの他端寄りの後縁に延出形成されている。従って、カバー係止片１７は、一対の側壁１２ａ，１２ｂ上で、引っ掛け受け部１６とは逆側となる位置に配置されている。
【００３７】
また、カバー係止片１７は、図３に示すように、孔部１７ａよりも後方側に、係止突起３２をすくい上げるテーパ面１７ａを有している。
【００３８】
レバー拾い片１８は、図３に示すように、カバー係止片１７の横に連なって、一対の側壁１２ａ，１２ｂの後縁から延出している。即ち、レバー拾い片１８は、カバー係止片１７と一体に、一対の側壁１２ａ，１２ｂの後縁から延出している。このレバー拾い片１８は、図３及び図７に示すように、テーパ面１８ａを有している。このテーパ面１８ａは、一対の側壁１２ａ，１２ｂの外表面１２１間の離間寸法（図１の寸法Ｈ１）を各側壁１２ａ，１２ｂの後縁に向かって徐々に減少させる傾斜面である。
【００３９】
テーパ面１８ａは、嵌合操作レバー２０を第２コネクタハウジング１０に組み付ける際に、図７に示すように、内倒れが生じている嵌合操作レバー２０におけるレバー本体２１の自由端２１１よりもレバー拾い片１８の先端（後縁）１８ｂが寸法ｄだけ内側に位置するように、傾斜角度が設定されている。
【００４０】
嵌合操作レバー２０は、図１に示すように、対向配置される一対のレバー本体２１と、これらの一対のレバー本体２１の一端側を連結した本体連結部２２と、を備えており、全体としてコ字状に形成されている。
【００４１】
レバー本体２１は、第２コネクタハウジング１０の一対の側壁１２ａ，１２ｂに被せられる板状部材で、レバー支持用ボス部１４に回動可能に嵌合するボス嵌合穴２１ａと、レバーガイド突起１５と嵌合するガイド溝２１ｂと、を備えている。
【００４２】
このレバー本体２１は、第２コネクタハウジング１０の後方から一対の側壁１２ａ，１２ｂの外表面１２１に被せられて、ボス嵌合穴２１ａがレバー支持用ボス部１４に係合し、且つ、ガイド溝２１ｂがレバーガイド突起１５に係合することで、一対の側壁１２ａ，１２ｂに回動可能に結合される
【００４３】
ガイド溝２１ｂは、ボス嵌合穴２１ａを中心とする円弧状の溝部２１３により、レバー支持用ボス部１４を回動中心としたレバー本体２１の回動範囲を規制する。
本体連結部２２は、一対のレバー本体２１を回動操作する際の操作部となる部位である。
【００４４】
嵌合操作レバー２０は、第２コネクタハウジング１０の一対の側壁１２ａ，１２ｂに結合させた状態で所定の回動操作することによって、不図示の第１コネクタハウジングと第２コネクタハウジング１０とを嵌合させる。
【００４５】
カバー３０は、図１に示すように、第２コネクタハウジング１０の上部の側壁１２ａの後縁に接続される上部壁３０ａと、この上部壁３０ａに対向配置されて第２コネクタハウジング１０の下部の側壁１２ｂの後縁に接続される下部壁３０ｂと、これらの上部壁３０ａと下部壁３０ｂとの後縁を連結する連結壁３０ｃと、を備えている。
【００４６】
カバー３０の連結壁３０ｃは、第２コネクタハウジング１０の端部壁１２ｃの後縁から第２コネクタハウジング１０のもう一方の端部壁１２ｄ側に延出するスロープ状になっている。
【００４７】
カバー３０は、上部壁３０ａと下部壁３０ｂと連結壁３０ｃとによって、第２コネクタハウジング１０の後方に電線の引き出し方向を規制する電線誘導空間３０ｄを画成する。カバー３０が第２コネクタハウジング１０の後方に画成する電線誘導空間３０ｄは、第２コネクタハウジング１０の端部壁１２ｄ側に開口（電線引き出し口）を有する空間である。
【００４８】
カバー３０は、第２コネクタハウジング１０の後端に結合する手段として、図２に示したように、引っ掛け突起３１と、係止突起３２と、を備える。
【００４９】
引っ掛け突起３１は、図２に示すように、連結壁３０ｃの端部壁１２ｃ側の端部に突設された突起で、第２コネクタハウジング１０の引っ掛け受け部１６に引っ掛けることで、連結壁３０ｃの端部を回動可能に端部壁１２ｃに結合する。
【００５０】
係止突起３２は、図２に示すように、カバー３０を第２コネクタハウジング１０の後端に突き合わせたときに、第２コネクタハウジング１０の一対の側壁１２ａ，１２ｂ上のカバー係止片１７と係合するように、上部壁３０ａ及び下部壁３０ｂの内面に突設された突起である。
【００５１】
カバー３０を、第２コネクタハウジング１０の後方から第２コネクタハウジング１０の後端に取り付ける際には、まず、引っ掛け突起３１を第２コネクタハウジング１０の引っ掛け受け部１６に引っ掛ける。次いで、引っ掛け突起３１を支点として、カバー３０の係止突起３２をカバー係止片１７側に移動させ、係止突起３２をカバー係止片１７に係合させることで、第２コネクタハウジング１０の後端に結合された状態になる。
【００５２】
カバー３０は、第２コネクタハウジング１０の後縁に取り付けることによって、図９に示すように、第２コネクタハウジング１０の後方に引き出される電線の引き出し方向を規制する。
【００５３】
次に、本実施形態のレバー式コネクタ１の組み立て手順を、図４〜図１０に基づいて説明する。
【００５４】
図４（ａ）は図１に示した第２コネクタハウジングの端子収容孔に、電線端に接続された端子金具を装着する前の状態を示す斜視図、図４（ｂ）は図１に示した第２コネクタハウジングに端子金具の装着が完了した状態の斜視図、図５は図１に示した第２コネクタハウジングに嵌合操作レバーを装着する前の状態を示す斜視図、図６は図５のＢ矢視図、図７は図６のＣ部の拡大図、図８は嵌合操作レバーを第２コネクタハウジングに組み付けた後、第２コネクタハウジングの後方に延出した電線を規定の引き出し方向に屈曲させた状態の斜視図、図９は図８に示した第２コネクタハウジングの後端にカバーを組み付けた状態の斜視図、図１０は第２コネクタハウジングへのカバーの組み付けが完了した後、第２コネクタハウジングを初期位置に回動させた状態の斜視図である。
【００５５】
まず、図４（ａ），図４（ｂ）に示すように、細径の電線４１が圧着接続された細径端子金具４２及び太径の電線４４が圧着接続された太径端子金具４５を、第２コネクタハウジング１０の後方から、第２コネクタハウジング１０の端子収容孔１１ａ，１１ｂに、装着する。
【００５６】
第２コネクタハウジング１０に各端子金具４２，４５の装着を済ませたら、図５及び図６に示すように、第２コネクタハウジング１０の後方から、嵌合操作レバー２０の組み付けを行う。
【００５７】
嵌合操作レバー２０は、図５及び図６に示すように、一対のレバー本体２１を、その自由端側から、第２コネクタハウジング１０の一対の側壁１２ａ，１２ｂの上に被せて、ボス嵌合穴２１ａをレバー支持用ボス部１４に嵌合させると共に、ガイド溝２１ｂをレバーガイド突起１５に嵌合させることで、一対の側壁１２ａ，１２ｂに回動可能に結合された状態になる。
【００５８】
一対のレバー本体２１の自由端を一対の側壁１２ａ，１２ｂの上に被せる際には、図５及び図６に示すように、レバー本体２１の自由端がレバー拾い片１８の上を通過するように、嵌合操作レバー２０を第２コネクタハウジング１０に差し込む。すると、レバー本体２１に内倒れが生じていて、図６に矢印Ｍ１で示すように一対のレバー本体２１相互間の離間距離が減少する方向に変形している場合でも、図７に示すように、レバー拾い片１８の先端１８ｂがレバー本体２１の自由端２１１よりも内側に位置していて、第２コネクタハウジング１０に差し込まれるレバー本体２１の自由端２１１がテーパ面１８ａによって一対の側壁１２ａ，１２ｂ上に誘導される。従って、レバー本体２１に内倒れが生じていても、嵌合操作レバー２０の組み付け時に、一対のレバー本体２１が一対の側壁１２ａ，１２ｂの後端面に衝突することを回避し、一対のレバー本体２１を円滑に一対の側壁１２ａ，１２ｂ上に被せることができる。
【００５９】
嵌合操作レバー２０の第２コネクタハウジング１０への組み付けが完了したら、第２コネクタハウジング１０の後方に引き出されている電線４１，４４を、図８に示すように、規定の引き出し方向（図８の矢印Ｄ方向）に屈曲させる。
【００６０】
電線４１，４４を引き出し方向に屈曲させたら、図９に示すように、第２コネクタハウジング１０の後方から、第２コネクタハウジング１０の後端に、カバー３０を組み付ける。
【００６１】
カバー３０の第２コネクタハウジング１０への組み付けが完了したら、図１０に矢印Ｒ２で示すように、嵌合操作レバー２０をレバー支持用ボス部１４の回りに所定角度回動させて、嵌合操作レバー２０を仮係止位置に位置決めする。
【００６２】
嵌合操作レバー２０の仮係止位置とは、嵌合操作レバー２０の回動操作によって不図示の第１コネクタハウジングを第２コネクタハウジング１０に嵌合させることのできる位置である。
【００６３】
以上に説明した一実施形態のレバー式コネクタ１によれば、第２コネクタハウジング１０には、一対の側壁１２ａ，１２ｂの外表面１２１間に離間寸法を徐々に減少させるテーパ面１８ａを有したレバー拾い片１８が装備されている。
【００６４】
従って、嵌合操作レバー２０の一対のレバー本体２１間の間隔が、これらのレバー本体２１の内倒れによって第２コネクタハウジング１０の一対の側壁１２ａ，１２ｂの外表面１２１間の本来の離間寸法より小さくなっていても、嵌合操作レバー２０を第２コネクタハウジング１０に組み付ける際には、嵌合操作レバー２０のレバー本体２１の自由端を、第２コネクタハウジング１０のレバー拾い片１８から側壁１２ａ，１２ｂの外表面１２１に被せるようにすれば、レバー本体２１の自由端２１１がレバー拾い片１８のテーパ面１８ａにより各側壁１２ａ，１２ｂの外表面１２１上にすくい上げられる。そのため、嵌合操作レバー２０を第２コネクタハウジング１０に組み付ける際に、嵌合操作レバー２０のレバー本体２１の自由端２１１が第２コネクタハウジング１０の側壁１２ａ，１２ｂの後端面に衝突することを回避することができ、スムーズに嵌合操作レバー２０を第２コネクタハウジング１０に組み付けることができる。
【００６５】
即ち、第２コネクタハウジング１０の対向する一対の側壁１２ａ，１２ｂの外表面１２１を挟む嵌合操作レバー２０の一対のレバー本体２１に内倒れが生じていても、嵌合操作レバー２０の第２コネクタハウジング１０への組付性が低下することがない。
【００６６】
また、レバー拾い片１８は、第２コネクタハウジング１０の後端にカバー３０を取り付けるために一対の側壁１２ａ，１２ｂに装備されるカバー係止片１７に連なって装備されている。そのため、カバー係止片１７に連なるレバー拾い片１８が、カバー係止片１７の実質的な幅寸法を増加させて該カバー係止片１７を補強する構造材として機能するため、カバー係止片が単独で側壁の後縁に延出形成される従来構造と比較すると、カバー係止片１７の強度を向上させることができる。
【００６７】
その結果、第２コネクタハウジング１０に対するカバー３０の取り付けを堅牢にすることができる。
【００６８】
なお、本発明のレバー式コネクタは、前述した実施形態に限定されるものでなく、適宜、変形、改良等が可能である。
【符号の説明】
【００６９】
１  レバー式コネクタ
１０  第２コネクタハウジング
１２ａ，１２ｂ  側壁
１４  レバー支持用ボス部
１７  カバー係止片
１８  レバー拾い片
１８ａ  テーパ面
２０  嵌合操作レバー
２１  レバー本体
２２  本体連結部
３０  カバー
１２１  外表面
【図１】
2013062078.tif 000003
【図２】
2013062078.tif 000004
【図３】
2013062078.tif 000005
【図４】
2013062078.tif 000006
【図５】
2013062078.tif 000007
【図６】
2013062078.tif 000008
【図７】
2013062078.tif 000009
【図８】
2013062078.tif 000010
【図９】
2013062078.tif 000011
【図１０】
2013062078.tif 000012
【図１１】
2013062078.tif 000013